(57)【要約】【課題】色分離性能が高いハイブリッド型の光電変換膜積層型カラー固体撮像装置を提供する。【解決手段】半導体基板２１と、基板２１の上層に積層され３原色のうちの緑色光を吸収して光電荷を発生させる光電変換膜３０と、基板２１の表面部に配列形成され光電荷を蓄積する複数の電荷蓄積部２５と、基板２１の表面部に配列形成され光電変換膜３０を透過した赤色及び青色の混色光を受光し発生した光電荷を蓄積する第１画素１２ｂのｎ領域２３と、基板２１の表面部に配列形成され光電変換膜３０を透過した混色光のうち赤色光を受光し発生した光電荷を蓄積する第２画素１２ａのｎ領域２３と、第２画素１２ａのｎ領域２３の上部に設けられ青色光を遮光するカラーフィルタ層３３とを備える。【選択図】図２
2007311550.tif 000002
【特許請求の範囲】
【請求項１】
半導体基板と、該半導体基板の上層に積層され３原色のうちの第１色光を吸収して光電荷を発生させる光電変換膜と、前記半導体基板の表面部に配列形成され前記光電荷を蓄積する複数の電荷蓄積部と、前記半導体基板の表面部に配列形成され前記光電変換膜を透過した３原色のうちの第２色光及び第３色光の混色光を受光し発生した光電荷を蓄積する第１の複数のフォトダイオードと、前記半導体基板の表面部に配列形成され前記光電変換膜を透過した前記混色光のうち第２色光を受光し発生した光電荷を蓄積する第２の複数のフォトダイオードと、該第２のフォトダイオードの上部に設けられ前記第３色光を遮光するカラーフィルタ層と、前記電荷蓄積部，前記フォトダイオードの各々の蓄積電荷量を読み出す信号読出手段とを備えることを特徴とする光電変換膜積層型カラー固体撮像装置。
【請求項２】
前記カラーフィルタ層が無機化合物材料で形成されることを特徴とする請求項１に記載の光電変換膜積層型カラー固体撮像装置。
【請求項３】
前記無機化合物材料がアモルファスシリコンまたは多結晶シリコンであることを特徴とする請求項２に記載の光電変換膜積層型カラー固体撮像装置。
【請求項４】
前記無機化合物材料は、前記第３色光に対する平均透過率が前記第２色光に対する平均透過率の１／２以下であることを特徴とする請求項１乃至請求項３のいずれかに記載の光電変換膜積層型カラー固体撮像装置。
【請求項５】
前記第１色光が緑色であり、第２色光が赤色であり、第３色光が青色であることを特徴とする請求項１乃至請求項４のいずれかに記載の光電変換膜積層型カラー固体撮像装置。
【請求項６】
前記信号読出手段がＭＯＳトランジスタあるいは電荷結合素子で構成されることを特徴とする請求項１乃至請求項５のいずれかに記載の光電変換膜積層型カラー固体撮像装置。
【請求項７】
前記フォトダイオードの各々の上部に入射光を当該フォトダイオードに集光するマイクロレンズが搭載されることを特徴とする請求項１乃至請求項６のいずれかに記載の光電変換膜積層型カラー固体撮像装置。
【発明の詳細な説明】
【技術分野】
【０００１】
本発明は、半導体基板の上に積層した光電変換膜で３原色のうちの１色の入射光を受光し光電変換膜を透過した残り２色の入射光を半導体基板に形成した光電変換素子（フォトダイオード）で受光する光電変換膜積層型カラー固体撮像装置に係り、特に、色分離性能が高くしかも光利用効率も高い光電変換膜積層型カラー固体撮像装置に関する。
【背景技術】
【０００２】
ＣＣＤ型イメージセンサやＣＭＯＳ型イメージセンサに代表される単板式カラー固体撮像装置では、光電変換する画素の配列上に３種または４種の色フィルタをモザイク状に配置している。これにより、各画素から色フィルタに対応した色信号が出力され、これ等の色信号を信号処理することでカラー画像が生成される。
【０００３】
しかし、モザイク状に色フィルタを配列したカラー固体撮像装置は、原色の色フィルタの場合、およそ入射光の２／３が色フィルタで吸収されてしまうため、光利用効率が悪く、感度が低いという問題がある。また、各画素で１色の色信号しか得られないため、解像度も悪く、特に、偽色が目立つという問題もある。
【０００４】
そこで、斯かる問題を克服するために、信号読出回路が形成された半導体基板の上に３層の光電変換膜を積層する構造の撮像装置が研究・開発されている（例えば、下記の特許文献１，２）。この撮像装置は、例えば、光入射面から順次、青（Ｂ），緑（Ｇ），赤（Ｒ）の光に対して信号電荷（電子，正孔）を発生する光電変換膜を重ねた画素構造を備え、しかも各画素毎に、各光電変換膜で光発生した信号電荷を独立に読み出すことができる信号読出回路が設けられる。
【０００５】
斯かる構造の撮像装置の場合、入射光が殆ど光電変換されて読み出され、可視光の利用効率は１００％に近く、しかも各画素でＲ，Ｇ，Ｂの３色の色信号が得られるため、高感度で、高解像度（偽色が目立たない）の良好な画像が生成できる。
【０００６】
また、下記特許文献３に記載された撮像装置では、シリコン基板内に光信号を検出する３重のウエル（フォトダイオード）を設け、シリコン基板の深さの違いにより、分光感度の異なる信号（表面からＢ（青）、Ｇ（緑）、Ｒ（赤）の波長にピークを持つ）を得るようになっている。これは、入射光のシリコン基板内への侵入距離が波長に依存することを利用している。この撮像装置も、特許文献１，２に記載された撮像装置と同様に、高感度で、高解像度（偽色が目立たない）の良好な画像を得ることができる。
【０００７】
しかし、特許文献１，２に記載された撮像装置は、３層の光電変換膜を半導体基板の上に順に積層し、且つ、各光電変換膜で発生したＲ，Ｇ，Ｂ毎の信号電荷を夫々半導体基板に形成した信号読出回路に接続する縦配線を形成する必要があるが、その製造は難しく、製造歩留まりが低いためコストが嵩んでしまうという問題がある。
【０００８】
一方、特許文献３に記載された撮像装置は、青色光は最浅部のフォトダイオード、赤色光は最深部のフォトダイオード、緑色光は中間部のフォトダイオードで検出する構造になっているが、例えば最浅部のフォトダイオードでは緑色光や赤色光によっても光電荷が発生してしまうため、Ｒ信号，Ｇ信号，Ｂ信号の分光感度特性の分離が十分でない。そこで、真のＲ信号，Ｇ信号，Ｂ信号を得るために、各フォトダイオードからの出力信号を加減算処理する必要が生じ、演算負荷が高くなり、また、この加減算処理によって画像信号のＳ／Ｎが低下してしまうという問題が生じる。
【０００９】
前述した特許文献１，２，３記載の撮像装置の各問題点を改善するものとして、特許文献４記載の撮像装置が提案されている。この撮像装置は、特許文献１，２記載の撮像装置と特許文献３記載の撮像装置のハイブッリド型となっており、その構造は、緑（Ｇ）に感度を持つ光電変換膜を１層だけ半導体基板の上に積層し、光電変換膜を透過した青（Ｂ）と赤（Ｒ）の入射光は、従来のイメージセンサと同様に、半導体基板の深さ方向に形成された２つのフォトダイオードで受光する構造になっている。
【００１０】
光電変換膜が１層で済むため、製造工程が簡単になり、コストアップや歩留り低下を避けることができる。また、光電変換膜で中間波長の緑色光が吸収されるため、半導体基板内の青色用と赤色用の各フォトダイオードの分光感度特性の分離が改善され、色再現性が良好になると共にＳ／Ｎも改善される。
【００１１】
【特許文献１】特表２００２−５０２１２０号公報
【特許文献２】特開２００２−８３９４６号公報
【特許文献３】特表２００２−５１３１４５号公報
【特許文献４】特開２００３−３３２５５１号公報（図５，図６）
【発明の開示】
【発明が解決しようとする課題】
【００１２】
上述したハイブリッド型の撮像装置は、色分離性能が改善されるが、半導体基板内への光侵入距離の波長依存性に基づいて赤色と青色を分離するため、高画質のカラー画像を撮像するのに未だ十分とはいえない。
【００１３】
本発明の目的は、色分離性能が高いハイブリッド型の光電変換膜積層型カラー固体撮像装置を提供することにある。
【課題を解決するための手段】
【００１４】
本発明の光電変換膜積層型カラー固体撮像装置は、半導体基板と、該半導体基板の上層に積層され３原色のうちの第１色光を吸収して光電荷を発生させる光電変換膜と、前記半導体基板の表面部に配列形成され前記光電荷を蓄積する複数の電荷蓄積部と、前記半導体基板の表面部に配列形成され前記光電変換膜を透過した３原色のうちの第２色光及び第３色光の混色光を受光し発生した光電荷を蓄積する第１の複数のフォトダイオードと、前記半導体基板の表面部に配列形成され前記光電変換膜を透過した前記混色光のうち第２色光を受光し発生した光電荷を蓄積する第２の複数のフォトダイオードと、該第２のフォトダイオードの上部に設けられ前記第３色光を遮光するカラーフィルタ層と、前記電荷蓄積部，前記フォトダイオードの各々の蓄積電荷量を読み出す信号読出手段とを備えることを特徴とする。
【００１５】
本発明の光電変換膜積層型カラー固体撮像装置は、前記カラーフィルタ層が無機化合物材料で形成されることを特徴とする。
【００１６】
本発明の光電変換膜積層型カラー固体撮像装置は、前記無機化合物材料がアモルファスシリコンまたは多結晶シリコンであることを特徴とする。
【００１７】
本発明の光電変換膜積層型カラー固体撮像装置は、前記無機化合物材料が、前記第３色光に対する平均透過率が前記第２色光に対する平均透過率の１／２以下であることを特徴とする。
【００１８】
本発明の光電変換膜積層型カラー固体撮像装置は、前記第１色光が緑色であり、第２色光が赤色であり、第３色光が青色であることを特徴とする。
【００１９】
本発明の光電変換膜積層型カラー固体撮像装置は、前記信号読出手段がＭＯＳトランジスタあるいは電荷結合素子で構成されることを特徴とする。
【００２０】
本発明の光電変換膜積層型カラー固体撮像装置は、前記フォトダイオードの各々の上部に入射光を当該フォトダイオードに集光するマイクロレンズが搭載されることを特徴とする。
【発明の効果】
【００２１】
本発明によれば、カラーフィルタ層を設けるため色分離性能が高く、しかも、第１のフォトダイオード上にはカラーフィルタ層を設けないため光利用効率も高くなる。また、カラーフィルタ層を無機化合物材料で構成すると、光電変換膜の下側を半導体集積回路製造技術で製造でき、製造歩留まりも高くなる。
【発明を実施するための最良の形態】
【００２２】
以下、本発明の一実施形態について、図面を参照して説明する。
【００２３】
（第１の実施形態）
図１は、本発明の一実施形態に係る光電変換膜積層型カラー固体撮像装置の表面模式図である。本実施形態の光電変換膜積層型カラー固体撮像装置１０は、基板１１の受光面上に複数の画素１２が正方格子状に配列形成される。
【００２４】
画素１２は、２種類の画素１２ａ，１２ｂで構成され、画素１２ａは受光面上に市松状に形成され、残りの市松配列上に、画素１２ｂが設けられる。尚、ストライプ状に配列した画素１２ａ行（列）と、ストライプ状に配列した画素１２ｂ行（列）とを交互に配列することでも良い。
【００２５】
基板１１の側部には行選択走査部１３が設けられ、下辺部には画像信号処理部１４が設けられ、また、タイミングパルスを生成したり制御信号を生成する制御部１５が適宜箇所に設けられる。
【００２６】
各画素１２には夫々の信号読出回路（図示せず）が設けられ、各画素１２の信号読出回路と行選択走査部１３とはリセット信号線１６及び行選択信号線１７で接続され、各画素１２の信号読出回路と画像信号処理部１４とは２本の列信号線１８，１９で接続される。
【００２７】
信号読出回路は、例えば既存のＣＭＯＳ型イメージセンサで用いられる３トランジスタ構成または４トランジスタ構成等のトランジスタ回路が用いられ、行選択走査部１３や画像信号処理部１４も既存のＣＭＯＳ型イメージセンサで用いられるものと同じものを用いることができる。
【００２８】
尚、図示する例の光電変換膜積層型カラー固体撮像装置は、ＭＯＳ型の信号読出回路を搭載するが、既存のＣＣＤ（電荷結合素子）型固体撮像装置と同様に、各画素１２が検出した信号電荷を電荷転送路（垂直電荷転送路ＶＣＣＤ，水平電荷転送路ＨＣＣＤ）を用いて読み出す構造とすることも可能である。
【００２９】
図２は、図１に矩形点線IIで囲った二種類の画素１２ａ，１２ｂの断面模式図である。ｎ型半導体基板２１（＝図１の符号１１）の表面部にはｐ型ウェル層２２が形成され、画素１２ａ，１２ｂ共に、ｐ型ウェル層２２の表面部に入射光を受光するｎ型半導体層（ｎ型領域）２３が形成されることで、ｐｎ接合すなわちフォトダイオード（光電変換素子）が形成される。ｎ型半導体層２３の最表面には、周知のＣＣＤ型イメージセンサやＣＯＭＳ型イメージセンサと同様に、暗電流抑制用の表面ｐ層２４が設けられる。
【００３０】
ｐウェル層２３の各ｎ型半導体層２３の間には、小面積の電荷蓄積部２５が設けられる。電荷蓄積部２５は、図示しない遮蔽膜によって遮光され、光が電荷蓄積部２５に入射しない様になっている。電荷蓄積部２５は、高濃度不純物領域で構成され、ｎ型とするかｐ型とするかは、蓄積する電荷を電子とするか正孔とするかによって決められる。
【００３１】
半導体基板２１の表面には、透明絶縁層２７が積層され、透明絶縁層２７の表面に、１画素毎に区画された透明の画素電極膜２８が積層され、各画素電極膜２８と対応の電荷蓄積部２５とが縦配線２９によって接続されている。
【００３２】
画素電極膜２８の上には、全画素共通に緑色光に感度を有する光電変換膜３０が積層され、その上に、透明な共通電極膜（画素電極膜２８に対向する対向電極膜）３１が積層され、最表面に透明な保護膜３２が積層される。
【００３３】
透明な電極膜２８，３１は、例えばＩＴＯ等や薄い金属膜で形成することができる。尚、共通電極膜３１は、全画素共通に１枚構成で積層することでも、画素毎に分離し共通配線することでも、或いは、列毎あるいは行毎に分離して形成し共通配線することでもよい。
【００３４】
光電変換膜３０は、有機半導体材料を用いて構成したり、Ａｌｑやキナクリドン化合物で構成したり、或いは、最適な粒径のナノシリコンを積層することで構成することができる。これら材料を、スパッタ法やレーザアブレーション法，印刷技術，スプレー法等で画素電極膜２８の上に積層する。
【００３５】
そして、本実施形態の光電変換膜積層型カラー固体撮像装置１０では、画素１２ａにおける透明絶縁層２７の内部にカラーフィルタ層を構成するポリシリコン膜（あるいはアモルファスシリコン膜）３３を埋設し、画素１２ｂにおける透明絶縁層２７の内部にはカラーフィルタ層は設けないことを特徴とする。
【００３６】
カラーフィルタ層３３は、縦配線２９とは離間して設けられる。ポリシリコンは導電性を有するため、縦配線２９に接触していると、縦配線２９に流れる信号電荷がカラーフィルタ層３３に流れ込む虞があるからである。
【００３７】
カラーフィルタ層３３は、例えば、図３（ａ）に示す様に赤外線域をカットする透過率を有する材料で構成したり、図３（ｂ）に示す様に赤外線域も透過する材料で構成する。ポリシリコンやアモルファスシリコンを用いると、図３（ｂ）の透過率となる。カラーフィルタ層３３は、赤色光Ｒに対する平均透過率が、青色光Ｂに対する平均透過率の２倍以上となることが好ましい。青色光と赤色光の選択比が２倍より小さい場合には、混色による色再現の劣化やＳ／Ｎの低下が懸念される。
【００３８】
本実施形態では、１画素に２つの信号読出回路が設けられる。この信号読出回路は半導体基板上に集積回路技術を用いて形成されるが、その詳細については周知のＣＭＯＳ型イメージセンサと同じであるため省略する。
【００３９】
画素１２ａには第１信号読出回路４１と第２信号読出回路４２とが設けられ、信号読出回路４１の入力端は画素１２ａの電荷蓄積部２５に接続され、出力端は列信号線１８に接続される。信号読出回路４２の入力端は画素１２ａのｎ型半導体層２３に接続され、出力端は列信号線１９に接続される。
【００４０】
画素１２ｂには第３信号読出回路４３と第４信号読出回路４４とが設けられ、信号読出回路４３の入力端は画素１２ｂの電荷蓄積部２５に接続され、出力端は列信号線１８に接続される。信号読出回路４４の入力端は画素１２ｂのｎ型半導体層２３に接続され、出力端は列信号線１９に接続される。
【００４１】
斯かる構成の光電変換膜積層型カラー固体撮像装置１０に被写体からの光が入射すると、各画素１２ａ，１２ｂの入射光の内の緑色光が光電変換膜３０で吸収され、光電変換膜３０で発生した信号電荷が縦配線２９を介して各画素１２ａ，１２ｂに対応する電荷蓄積部２５に流れ込み蓄積される。
【００４２】
入射光のうち青色光と赤色光は光電変換膜３０を透過する。画素１２ａにおいては、光電変換膜３０を透過した青色光と赤色光が透明絶縁層２７に浸入するが、短波長である青色光は、ポリシリコン層３３で吸収されてしまい、ｎ型半導体層２３に到達しない。即ち、ｎ型半導体層２３で光電変換され蓄積される信号は、赤色光の光量に応じた信号となる。
【００４３】
画素１２ｂにおいては、透明絶縁層２７にカラーフィルタ層を設けていないため、青色光と赤色光はｎ型半導体層２３に入射し、光電変換され、蓄積される。この信号電荷量は、赤色と青色の混色すなわちマゼンダ色の光量に応じた信号となる。
【００４４】
各画素１２ａ，１２ｂの電荷蓄積部２５，ｎ型半導体層２３の蓄積電荷に対応する信号が、各信号読出回路４１〜４４によって読み出され、画像信号処理部１４で処理され、画像データとして出力される。この画像データは、緑色（Ｇ）の画像データと、赤色（Ｒ）の画像データと、マゼンダ色（赤色Ｒ＋青色Ｂ）の画像データであるため、容易にＲ，Ｇ，Ｂの３原色の画像データを信号処理で得ることができる。
【００４５】
本実施形態では、画素１２ｂにおいて、赤色光を遮断するカラーフィルタを設けずに、信号処理で青色の画像データＢを得る構成にしている。これは、光利用効率を高めるためである。カラーフィルタを用いて色分離を行う場合、色分離性能は高くなるが、カラーフィルタでカットされた光が光電変換に寄与しないためその光は無駄になってしまう。
【００４６】
しかし、本実施形態の様に、２種類の画素のうちの一方にだけカラーフィルタを設ける構成とすることで、無駄となる光を最小限にすることが可能となる。しかも、Ｒ，Ｇ，Ｂの３原色のうち中間波長Ｇを光電変換膜３０を用いて分離するため、マゼンダ色Ｍｇ（赤色光Ｒ＋青色光Ｂ）から赤色光Ｒを分離するカラーフィルタ３３の材料選択が容易となる。尚、カラーフィルタ３３として青色光を透過し赤色光をカットする材料で構成しても良い。
【００４７】
しかしながら、カラーフィルタ３３の材料成分を細かく制御すれば、光電変換膜３０が赤色光Ｒを分離し、光電変換膜３０を透過したシアン色Ｃｙ（青色光Ｂ＋緑色光Ｇ）中の青色光Ｂまたは緑色光Ｇをカラーフィルタ３３がカットする構成とすることも可能である。あるいは、光電変換膜３０が青色光Ｂを分離し、光電変換膜３０を透過したイエロー光Ｙｅ（赤色光Ｒ＋緑色光Ｇ）中の赤色光Ｒまたは緑色光Ｇをカラーフィルタ３３がカットする構成とすることも可能である。
【００４８】
赤色光を分離する光電変換膜としては、例えばＧａＡｌＡｓ，Ｓｉ等の無機材料や、例えばＺｎＰｃ（亜鉛フタロシアニン）／Ａｌｑ３（キノリノールアルミ錯体）等の有機材料が使用できる。また、青色光を分離する光電変換膜としては例えばＩｎＡｌＰ等の無機材料や、例えばＣ６／ＰＨＰＰＳ（coumarin 6 (C6)-doped poly(m-hexoxyphenyl)phenylsilane）等の有機材料が使用できる。
【００４９】
光電変換膜３０を無機材料で構成した場合、光電変換膜３０で光が吸収され発生する正孔―電子対のうち移動度の大きい方は電子であるため、電子を信号電荷とするのが好ましい。移動度が大きいと、移動中に消滅する確率が小さく、トラップ準位に捕獲される確率も小さいためである。これに対し、光電変換膜３０を有機半導体材料で構成すると、正孔の方が移動度が大きくなるため、正孔を信号電荷とするのが好ましい。
【００５０】
本実施形態では、カラーフィルタ層３３を無機化合物材料のアモルファスシリコンやポリシリコンで形成している。カラーフィルタ層３３を埋設する透明絶縁層２７は、図２では単層膜として図示しているが、実際には窒化シリコン膜や酸化シリコン膜等の多層膜で形成され、各層間に、信号読出回路４１〜４４とｎ型半導体層２３，電荷蓄積部２５とを接続する配線層が設けられるため、いずれかの層を形成するときに、カラーフィルタ層３３をスパッタや蒸着で形成すれば良い。
【００５１】
本実施形態の様に、カラーフィルタ層３３を無機化合物材料で形成すると、半導体基板２１の表面上に図２の画素電極膜２８を形成する工程まで（光電変換膜３０を無機材料で構成する場合には保護膜３２の形成工程まで）、既存の半導体集積回路製造技術をそのまま利用することができ、縦配線２９の製造も容易となる。この結果、光電変換膜積層型カラー固体撮像装置の製造歩留まりが高くなり、製造コストの削減を図ることが可能となる。
【００５２】
また、無機材料でなるカラーフィルタ層３３は一般に有機材料でなるカラーフィルタ層より光吸収係数が大きいため薄く形成でき、固体撮像装置の全体の高さを低くできるため、シェーディングを抑制することが可能となり、デバイスの微細化が容易となる。
【００５３】
尚、上述した実施形態では、マイクロレンズを設けていないが、各画素１２ａ，１２ｂの保護膜３２の上に夫々マイクロレンズ（トップレンズ）を設け、あるいは、各画素１２ａ，１２ｂの光電変換膜３０の下側にマイクロレンズ（インナーレンズ）を夫々設け、入射光をｎ型半導体層２３の受光面に集光する構成とすることも可能である。
【００５４】
（第２の実施形態）
図４は、本発明の第２の実施形態に係るハイブリッド型の光電変換膜積層型カラー固体撮像装置の断面模式図である。本実施形態の光電変換膜積層型カラー固体撮像装置は、図２に示す第１の実施形態に係る光電変換膜積層型カラー固体撮像装置と略同一構造になっており、カラーフィルタ層を有機材料で形成している点のみ異なる。このため、同一構造部材には図２と同一符号を付してその説明は省略し、異なる部分についてのみ説明する。
【００５５】
本実施形態の光電変換膜積層型カラー固体撮像装置では、透明絶縁層２７と画素電極膜２８との間に、有機材料でなる平滑層５１を設ける。そして、画素１２ａにおいて、この平滑層５１内に有機材料でなる赤色光透過用のカラーフィルタ層５２を設ける。
【００５６】
カラーフィルタ層５２は、既存のＣＣＤ型イメージセンサやＣＭＯＳ型イメージセンサで通常用いられるカラーフィルタ材料，形成方法で形成することができる。
【００５７】
本実施形態では、半導体集積回路製造技術によって透明絶縁層２７までを製造し、その上に有機材料層５１，５２を形成するため、撮像装置全体の厚さが第１実施形態に比較して厚くなるが、既存の製造方法，材料を使用できるため、低コスト化を図るのに好適である。尚、縦配線２９と画素電極膜２８とを接続する縦配線５３を有機材料層５１に通す必要がある。
【００５８】
以上述べた各実施形態によれば、色分離性能が高くしかも光利用効率が高い光電変換膜積層型カラー固体撮像装置を低コストで製造することが可能となる。
【産業上の利用可能性】
【００５９】
本発明に係るハイブリッド型の光電変換膜積層型カラー固体撮像装置は、半導体基板に設ける複数のフォトダイオードの色分離性が向上し、色再現性の優れた高感度，高解像度のカラー画像を撮像できるため、しかも、安価に製造できるため、従来のＣＣＤ型イメージセンサやＣＭＯＳ型イメージセンサの代わりに用いると有用である。
【図面の簡単な説明】
【００６０】
【図１】本発明の第１の実施形態に係る光電変換膜積層型カラー固体撮像装置の表面模式図である。
【図２】図１に示す点線矩形枠II内の断面模式図である。
【図３】図２に示すカラーフィルタ層の入射光波長に対する透過率を例示する図である。
【図４】本発明の第２の実施形態に係る光電変換膜積層型カラー固体撮像装置の断面模式図である。
【符号の説明】
【００６１】
１０  光電変換膜積層型カラー固体撮像装置
１２  画素
１２ａ  緑色Ｇ及び赤色Ｒの検出画素
１２ｂ  緑色Ｇ及びマゼンダ色Ｍｇの検出画素
２１  半導体基板
２２  ｐウェル層
２３  ｎ型領域
２４  表面ｐ層
２５  電荷蓄積部
２７  透明絶縁層
２８  画素電極膜
２９，５３  縦配線
３０  緑色に感度を有する光電変換膜
３１  共通電極膜（対向電極膜）
３３  無機材料でなるカラーフィルタ層
４１，４２，４３，４４  信号読出回路
５２  有機材料でなるカラーフィルタ層
【図１】
2007311550.tif 000003
【図２】
2007311550.tif 000004
【図３】
2007311550.tif 000005
【図４】
2007311550.tif 000006